(57)【要約】【課題】引っ掛け式軌道の提供。【解決手段】一種の引っ掛け式軌道、一種の引き出し或いは類似品の移動軌道。軌道の後ろ端には水平延伸のL 字型カギ止めが含まれている、その中で前に近い端の外側の面には直立状の凸片が設置されている、及び掛けカギを移動することが出来る。軌道の後ろ端にはカギ止めを後方管件の挿入口に挿入して定位することが出来る。軌道の凸片を前方管件の穴に差し込むことで軌道は上下に移動しない、そのほか掛けカギを借りて穴へ挿し込む、それで軌道を脱落させない、軌道が引っ掛け式で安定して棚の上に設置することが出来る。【選択図】        図１
2007111216.tif 000002
【特許請求の範囲】
【請求項１】
引っ掛け式軌道において、
軌道本体を包含し、該軌道本体の内側は引き出し或いは類似品の移動の軌道、一カギ体、カギ体の末端は水平少なくとも一個のＬ字型カギ止め、一掛けカギ座、そのうえには二凸片が設置してある、及び一上下に滑り移動が可能、滑り片の上には上下の二個の掛けカギが設置してある、その上下高度は凸片の上下端を突き出ない：その中で、軌道本体の前後端の分別と掛けカギ座、カギ体結合：カギ体末端のカギ止めは軌道本体の末端より突き出ることを特徴とする引っ掛け式軌道。
【請求項２】
請求項１記載の引っ掛け式軌道において、軌道本体とカギ体との間は鉚釘によって水平状の長い形の穴を通して結合、よってカギ体は相対的に軌道本体前後の移動が可能であることを特徴とする引っ掛け式軌道。
【請求項３】
請求項１記載の引っ掛け式軌道において、軌道本体と掛けカギ座との間は鉚釘によって水平状の長い形の穴を通して結合、よって掛けカギ座は相対的に軌道本体上下の移動が可能であることを特徴とする引っ掛け式軌道。
【発明の詳細な説明】
【技術分野】
【０００１】
本発明は一種の引っ掛け式軌道、一種の引き出し或いは類似品の移動軌道。軌道は引っ掛け方式で棚の上に安定して装置することが出来る、それによって便利且つ棚との結合力も良くなる。
【背景技術】
【０００２】
金属の置物棚の上に平面状の物置層の設置の外、もし引き出し或いは引き出せる物置籠を増設できるのであれば、物置棚の使用功能も完璧となる。早期は軌道を直接に金属の物置棚に取り付けて使用していた、この様な取り付け方では取り外しが出来ない、その為体積が比較的大きくなり運搬が不便となっていた、市場で唯一遅れている商品は、余り見かけなくなった。
【０００３】
今市場では組み立て式の物置棚、その中で多くは直立状の管件と平面状の物置層により結合してある。有る種の組み立て式置物棚の構造は錐状の筒で物置層と直立状管件と結合。もしも軌道を使用するとき、軌道上の溶接部分には前、後二個の錐状の筒がある、錐状によって軌道と直立状管件と結合。その間に、軌道本体及び引き出しの重量はその上の錐状の筒と錐状襯件が緊急作用を発生してそして直立管件の上で固定する、軌道の引き出しを引き出すときに、軌道の前端に比較的大きい負担を作り出す、そして後端の負担が比較的に小さくなる、軌道の後端が跳ね上がり軌道が設置位置から離脱することになるため使用が不利になる。
【０００４】
外に一種物置棚は直立管件上に差込穴を設置する、それによって物置層或いはその他の引っ掛けカギが差込口に引っ掛けて固定する、軌道を使用するとき、軌道の外側に掛けカギが設置してある、掛けカギは管件の差込口内に通してそして下の方へ移動して引っ掛けカギが直立管件の上で使用する。軌道の引っ掛けカギ上の縁と直立管件の差込口上の縁の間には大きな隙間がある、それによって軌道は確実に固定しなく容易に揺れ動く為使用効果が悪くなる。
【発明の開示】
【発明が解決しようとする課題】
【０００５】
一種の引っ掛式軌道の提供する、その為一種は差込穴のある管件上で使用、その管件と結合後に最も安定性が生じて、離脱しない。本発明が提供した引っ掛け式軌道はその上の引っ掛けカギとカギ体の位置との調整ができる功能を持つ、その為管件間の誤差の不適用性が消去できる。本発明が提供した引っ掛け式軌道その後端に水平延伸のＬ字型カギ止めを持つ。その前端の近くの外側面には直立の凸片が設置されていて上下に移動可能な掛けカギ。軌道後端のカギ止めは差し込むことができる後方管件の差込穴で定位する。軌道の凸片前方管件の差込穴内に挿入することで軌道は上下に移動しない、そのほか掛けカギによって下へ移動そして挿入穴内へ引っかかる、その為軌道は脱落しない。
【課題を解決するための手段】
【０００６】
請求項１の発明は、軌道本体を包含し、該軌道本体の内側は引き出し或いは類似品の移動の軌道、一カギ体、カギ体の末端は水平少なくとも一個のＬ字型カギ止め、一掛けカギ座、そのうえには二凸片が設置してある、及び一上下に滑り移動が可能、滑り片の上には上下の二個の掛けカギが設置してある、その上下高度は凸片の上下端を突き出ない：その中で、軌道本体の前後端の分別と掛けカギ座、カギ体結合：カギ体末端のカギ止めは軌道本体の末端より突き出ることを特徴とする引っ掛け式軌道としている。
請求項２の発明は、請求項１記載の引っ掛け式軌道において、軌道本体とカギ体との間は鉚釘によって水平状の長い形の穴を通して結合、よってカギ体は相対的に軌道本体前後の移動が可能であることを特徴とする引っ掛け式軌道としている。
請求項３の発明は、請求項１記載の引っ掛け式軌道において、軌道本体と掛けカギ座との間は鉚釘によって水平状の長い形の穴を通して結合、よって掛けカギ座は相対的に軌道本体上下の移動が可能であることを特徴とする引っ掛け式軌道としている。
【発明の効果】
【０００７】
本発明が提供した引っ掛け式軌道、軌道の凸片高度と管件の差込穴の高度は似ている。凸片が挿入穴に差し込んだ後、軌道は上下に移動することはできない。
【０００８】
本発明が提供した引っ掛け式軌道、掛けカギは凸片のそばにくっついている。掛けカギを上へ移動する時、その上、下の高度は凸片の上、下端から突き出ない。掛けカギを下へ移動する時、管件に引っ掛けることができる、それで軌道と管件が結合する。
【発明を実施するための最良の形態】
【０００９】
出願人は掛け式軌道と管件の間の結合力の低すぎ、不適使用を知った上で、一種の管件と安定して結合のできる引っ掛け式軌道と引き出し及びその類似品が軌道中での移動に更に安定できるよう提供をした。第一から三の図をご覧下さい、本発明が提供した引っ掛け式軌道は引き出しの滑走を導くことができる(図上には未表示) 。軌道１に含まれるのは：一軌道本体１０、一カギ体２０、及び掛けカギ座３０。その中で軌道本体１０の前、後端分別と掛けカギ座３０、カギ体２０の結合。カギ体２０の末端は水平延伸の二個Ｌ字型カギ止め２１、２１、且つカギ止め２１は軌道本体中の末端から突き出ている。掛けカギ座３０は一個の軌道本体１０の前端結合の座体、その上含むのは一上下へ滑り移動のできる滑り片３１、滑り片３１上に上下二個の掛けカギ３２が設置されている、３２、二つの掛けカギ３２、３２の突き出る方向は下に向いている。
【００１０】
前に述べたカギ体２０、その末端の二Ｌ字型カギ止め２１、３１、挿入可能一直立管件４０上の上下の二つの差込穴４１、４１内。続けて軌道１管件４０にぴったりと貼る、Ｌ字型のカギ止め２１の末端は管件４０の内側の壁に寄りかかっていて脱出できない、そのため軌道１の後端は管件４０の上に固定している。
【００１１】
前に述べた掛けカギ座３０の上に上下両凸片３３、３３、二凸片３３、３３分別と二掛けカギ３２、３２張り合わせる。掛けカギ３２、３２が上へ移動定位になった時、その上、下の高度は凸片３３の上、下端へ突き出ない。軌道１が管件４０へ寄っかかる過程の中で、凸片３３、３３、二掛けカギ３２、３２はもう一つの管件５０の二差込穴５１、５１内へ挿入可能、それによって軌道１の前端定位が出来る、けれども上、下移動は出来ない、例えば第四図で示している状態。滑り片３１を続けて下へ推進して、よって二の掛けカギ３２、３２がしたへ移動する、二掛けカギ３２、３２が管件５０の差込穴５１へ引っかかり、軌道１の前端と管件５０とが結合、例えば第５図で示している状態。
【００１２】
直立管件４０、５０を柱の支えとしての組み立て物置棚は物置網層( 図には未表示) の四つの端角と四本の直立管件４０、５０が結合して形成された棚体の構造。各物置網層の製造時には多少の誤差はある、それによって前後の管件５０、４０の間の距離は多少誤差が出る。軌道本体１０とかぎ体２０との間は鉚釘６０によって水平上の長い形の穴１１を通って結合する、よってかぎ体２０は軌道本体１０と相対に前後移動をする、前、後の菅件５０、４０との間の距離誤差を消去する。
【００１３】
軌道本体１０と掛けカギ座３０との間は鉚釘６１によって鉛直状の長い形の穴１２を通って結合する、よって掛けカギ座３０は軌道本体１０と相対に上、下移動をする、前、後の管件５０、４０との間の距離誤差り消去をする。軌道１り内側は引き出し（図には未表示）通る所のため、本実施例中、軌道１の内側にはスライディング１３と引き出しが結合できる、よって引き出し７０は軌道１に沿って移動が出来る。
【００１４】
上で述べた軌道１前端は二凸片３３、３３と管件５０差込穴５１、５１の配合を利用して、よって軌道１は上下移動をしない、軌道１の安定性を高める。そして掛けカギ３２は軌道１と管件５０との間の結合結構を提供する、よって軌道１は管件５０から脱落しない。本発明が提供した引っ掛け式軌道は一種の使用の理想な設計に適している。
【図面の簡単な説明】
【００１５】
【図１】本発明実施例の外観図
【図２】第一図が示した実施例のもう片方の外観図
【図３】第一図が示した実施例の分解図
【図４】掛けカギ座の凸片、掛けカギ挿入管件の差込穴内の状態図
【図５】掛けカギ管件内への引っ掛け状態図
【符号の説明】
【００１６】
１    軌道
１０  軌道本体
１１  長い形の穴
１２  長い形の穴
１３  スライディング
２０  引っ掛け
２１  引っ掛け止め
３０  掛けカギ座
３１  滑り片
３２  掛けカギ
３３  凸片
４０  管件
４１  差込口
５０  管件
５１  差込口
６０  鉚釘
６１  鉚釘
【図１】
2007111216.tif 000003
【図２】
2007111216.tif 000004
【図３】
2007111216.tif 000005
【図４】
2007111216.tif 000006
【図５】
2007111216.tif 000007